(57)【要約】【課題】顔や目に、石けん水や汚水がかからずに洗髪でき、かつ襟足まで洗髪できるとともに、長く使用しても劣化して性能が低下し難い洗髪用補助具を提供する。【解決手段】鉢巻き状のターバンの一側面に、折曲げ可能に透明なフードを襟足の所まで届くよう取付け、ターバンの中を挿通したベルトは頭部を一周して、該ベルト端部に設けられた結合具により長さが調節可能にベルトの両端が連結され、環が形成できるよう構成されているとともに、ターバンが額に接する部分に複数の吸着体が設けられている洗髪用補助具である。【選択図】図１
0003110084.tif 000002
【実用新案登録請求の範囲】
【請求項１】
鉢巻き状のターバンの一側面に、折曲げ可能に、透明なフードを襟足の所まで届くよう取付け、ターバンの中を挿通したベルトは頭部を一周して、該ベルト端部に設けられた結合具により長さが調節可能にベルトの両端が連結され、環が形成できるよう構成されていることを特徴とする洗髪用補助具。
【請求項２】
ターバンが額に接する部分に複数の吸着体が設けられていることを特徴とする請求項１記載の洗髪用補助具。
【考案の詳細な説明】
【技術分野】
【０００１】  本考案は、洗髪や毛染の時、石けん水や汚水等で顔が濡れることを防ぐための洗髪用補助具に関する。
【背景技術】
【０００２】  浴槽につかりながら、顔には水がかからず、浴槽内に汚水が入らないようにしながら洗髪することを可能にする洗髪バイザーとして、本体バイザーの前頭部に取付けられたツバもしくはひさしが顔面と頭部の２ヶ所で水を遮り、伸縮、吸収、防水の素材が額に密着し防水効果をはたし、覆いを用いることで浴槽内を汚さず洗髪が可能となるシャンプーバイザーが開示されている。
【特許文献１】特開２００１−３５３０１９号公報
【０００３】  また、円形の枠体と、該枠体より小径かつ同心円状に設けた伸縮自在なゴム紐条との間に耐水性シートを張設したことを特徴とする洗髪用キャップが提案されている。
【特許文献２】実開昭６１−１９４４０３号公報
【０００４】  その他、帽子状のシャンプーハット等も種々考案されている。
【特許文献３】実開昭５８−１５７４０４号公報
【特許文献４】実開昭６２−２７５０２号公報
【０００５】  特許文献１に記載されたシャンプーバイザーは、環状ベルトが伸縮・吸収・防水効果のある素材を用い、顔面への水流を外へ排出するとあり、一部がゴム等の伸縮自在の素材を用いている。しかし、何回も濡れた状態で引張るとゴム等の弾性が失われていくおそれがあり長く使用できない欠点があった。
また、環状ベルトの上縁に水がたまりやすく、環状ベルトと頭髪の隙間から水が顔面に入り込むおそれがあった。【０００６】  その他、円形の洗髪用キャップの場合（特許文献２）では、襟足の洗髪が困難であり、また洗髪用帽子（特許文献３）では、クッション材と頭髪の間に水がたまりやすい欠点があり、シャンプーハット（特許文献４）では頭部に嵌着する取付孔を囲む環状本体は合成樹脂発泡シートの打抜き成形体であるため、頭部の形状に変化があれば十分にフィットし難く、十分に効果が発揮できないおそれがある。また、洗髪用補助具（特許文献５）も伸縮性のあるゴムを使用しているため、ゴムが劣化すれば使用できなくなるおそれがある。
【考案の開示】
【考案が解決しようとする課題】
【０００７】  本考案が解決しようとする課題は、サイズの調節が可能で大小の頭に密着できるとともに、顔にかかる水を完全に防ぎ襟足まで頭全体を洗うことを可能とするとともに、長年使用しても劣化して性能が低下しない洗髪用補助具を提供することである。
【課題を解決するための手段】
【０００８】  本考案の洗髪用補助具は、鉢巻き状のターバンの一側面に、折曲げ可能に透明なフードを襟足の所まで届くよう取付け、ターバンの中を挿通したベルトは頭部を一周して、該ベルト端部に設けられた結合具により長さが調節可能に両端が連結され、環が形成できるよう構成されていることを特徴とする。
透明なフードは、プラスチック等耐水性、又は発水性・防水性であって柔軟な素材が用いることが好ましい。【０００９】  また、本考案の洗髪用補助具は、額に接する部分に複数の吸着体が設けられていることを特徴とする。
フードを折曲げて外に出し、吸着体でターバンを額に密着するようにするとともに、バンドの両端を結合具で締めることで水が漏れて顔が濡れることを防ぎ、さらに洗髪用補助具が洗髪中下にずれないようにした。結合具はバックルのほかマジックテープ（登録商標）を用いても良い。
【考案の効果】
【００１０】  本考案は、顔や目を保護するため、透明なフードを使用し、前が良く見え、シャンプー等剤が手探りでなく、目を開いて取ることができる。
また、透明なフードがターバンの上に折曲げられて装着することでターバン自身はほとんど水等に濡れることがなく、長年使用しても劣化するおそれは少ない。また、洗髪用や石けん水はフードの外側をスムーズに流れ落ち、ターバンの上縁にたまることはない。フードは襟足までついていて、汚水等は前側に流れ難くなっていて、顔や目に汚水等が入ることはない。【００１１】  シャンプー嫌いの子供や老人等の楽しく洗髪ができる。また、従来不十分だった襟足の洗髪も快適にできるようになり、頭をあまり下げないで普通の姿勢で洗髪ができるようになり身体障害者等でも楽に洗髪ができる。
サイズ調整もベルトで簡単にできるから、子供、大人、女性に限らず男性から老人まで使用可能である。
【考案を実施するための最良の形態】
【００１２】  本考案の洗髪用補助具は、鉢巻き状のターバンの一側面に、透明のフードが顔全体に覆い、襟足の所まで付いている。フードは透明で柔軟性のプラスチックで作られ、前が良く見え、シャンプー剤等を取りやすくし、襟足部分もフィットさせて使用することで前側に汚水を流れにくくする効果がある。【００１３】  鉢巻き状のターバンを布製とし、綿製のベルトを中に通し、ベルトはターバンの中を一周して一端にバックルをつけてサイズを調節する。
綿製のベルトを用いると水分を含んでも伸びることがなく、ゆるむことなく止めることが可能である。
装着時は、ターバンの上でフードを折曲げ、吸着具が額にあたるようにし、フードが外側に曲げられた状態にして、ベルトの一端をバックルに通して輪にし、頭の上からのせ、吸着体を額に密着させ、襟足の髪をかきあげ、襟足の所でベルトを引張り装着する。
【実施例１】
【００１４】  以下、本考案を図面に基づいて説明する。
図１は本考案の洗髪用補助具の使用状態を示す斜視図である。透明なフード２が顔のほぼ全体を覆っていて水が顔にかからないようになっている。ターバン１はフードの下になっている。頭髪６は襟足のところまでかきあげてフード２の上になるようにしている。【００１５】  図２は、本考案の洗髪用補助具の吸着体３が上にくるようターバン１とフード２の間を折曲げた状態を示す平面図である。この状態で吸着体３が額にあたるようにし、ベルト４を頭の後ろにまわし、ベルト４の両端をバックル５で締めることで、洗髪用補助具が洗髪中下にずれないようにし、また水が顔にかからないようにしている。【００１６】  図３は、本考案の洗髪用補助具において、図２で折曲げたフード２を開いたときの状態を示す平面図である。
【図面の簡単な説明】
【００１７】
【図１】洗髪用補助具の使用状態を示す斜視図である。
【図２】洗髪用補助具のターバン１とフード２を折曲げたときの状態を示す平面図である。
【図３】洗髪用補助具のターバン１とフード２を展開したときの状態を示す平面図である。
【符号の説明】
【００１８】  １  ターバン
２  フード
３  吸着体
４  ベルト
５  バックル
【図１】
0003110084.tif 000003
【図２】
0003110084.tif 000004
【図３】
0003110084.tif 000005